(57)【要約】      （修正有）【課題】鋳型造型ラインにおいて鋳枠表面に付着した鋳物砂を除去する鋳枠清掃装置を提供する。【解決手段】鋳型造型ラインで用いる鋳枠２の表面に付着する鋳物砂を除去する鋳枠清掃装置１であって、鋳型造型ラインの一部である解枠ラインの鋳枠搬送ローラフレーム４上に設置された保持具１０と、該保持具１０に軸を介して保持された１個又は複数個のカップ型のワイヤブラシ９とを具備する。また、前記保持具１０にカップ型のワイヤブラシ９と鋳枠２との接触状態を一定に保つための調整機構を具備する。さらに、前記保持具が傾倒及び復帰が可能である。【選択図】図３
2006136908.tif 000002
【特許請求の範囲】
【請求項１】
鋳型造型ラインで用いる鋳枠の表面に付着する鋳物砂を除去する鋳枠清掃装置であって、該鋳型造型ラインの一部である解枠ラインの鋳枠搬送ローラフレーム上に設置された保持具と、該保持具に軸を介して保持された１個又は複数個のカップ型のワイヤブラシと、を具備することを特徴とする鋳枠清掃装置。
【請求項２】
前記保持具に前記カップ型のワイヤブラシと鋳枠との接触状態を一定に保つための調整機構を具備したことを特徴とする請求項１に記載の鋳枠清掃装置。
【請求項３】
前記保持具が傾倒及び復帰が可能であることを特徴とする請求項１又は２のいずれかに記載の鋳枠清掃装置。
【請求項４】
前記カップ型のワイヤブラシは鋳枠との摩擦抵抗により回転することを特徴とする請求項１から３のいずれかに記載の鋳枠清掃装置。
【請求項５】
鋳型造型ラインで用いる鋳枠の表面に付着する鋳物砂を除去する鋳枠清掃装置であって、該鋳型造型ラインの一部である解枠ラインの鋳枠搬送ローラフレーム上に設置された保持具と、該保持具に軸を介して保持された１個又は複数個のカップ型のワイヤブラシと、前記保持具に前記カップ型のワイヤブラシと鋳枠との接触状態を一定に保つための調整機構を具備し、
前記保持具が傾倒及び復帰が可能であり、前記カップ型のワイヤブラシは鋳枠との摩擦抵抗により回転することを特徴とする鋳枠清掃装置。
【発明の詳細な説明】
【技術分野】
【０００１】
本発明は、鋳枠の表面を清掃する装置に関する。
【背景技術】
【０００２】
従来、鋳型造型ラインにおいて、ゴム板、ウレタン板、バネ付き鉄板等で搬送中の鋳枠に付着した鋳物砂をかき落とす装置は公知である（例えば、特許文献１参照）。
【０００３】
【特許文献１】特開２００４−２６８０６４号公報
【発明の開示】
【発明が解決しようとする課題】
【０００４】
しかし、この装置は鋳枠の上下面などの加工面等、平坦な面に付着した鋳物砂の除去を目的としているため、浮き出し文字等を施した凹凸面の鋳物砂を除去できないという問題があった。
【０００５】
本発明は、上記の問題に鑑みて成されたもので、凹凸面を有する鋳枠表面に付着した鋳物砂を除去する鋳枠清掃装置を提供することを目的とする。
【課題を解決するための手段】
【０００６】
上記の目的を達成するために本発明における鋳枠清掃装置は、鋳型造型ラインで用いる鋳枠の表面に付着する鋳物砂を除去する鋳枠清掃装置であって、鋳型造型ラインの一部である解枠ラインの鋳枠搬送ローラフレーム上に設置された保持具と、該保持具に軸を介して保持された１個又は複数個のカップ型のワイヤブラシと、を具備することを特徴とする。
【０００７】
また、上記の目的を達成するために本発明における鋳枠清掃装置は、前記保持具にカップ型のワイヤブラシと鋳枠との接触状態を一定に保つための調整機構を具備したことを特徴とする。さらに、前記保持具が傾倒及び復帰が可能であることを特徴とする。
【０００８】
また、前記カップ型のワイヤブラシは鋳枠との摩擦抵抗により回転することを特徴とする。
【０００９】
なお、本発明において付着した鋳物砂を除去するとしているが、堆積した鋳物砂、固着した鋳物砂なども除去の対象である。また、鋳物砂とは、例えば、生砂や自硬性砂などが挙げられる。
【発明の効果】
【００１０】
本発明によれば、従来の板状のスクレーパに比べ、浮き出し文字等の凹凸がある鋳枠表面に付着した鋳物砂を除去することができる。
さらに、搬送途中の鋳型に対し、固定のワイヤブラシで清掃すると常に一方向からワイヤブラシに接触抵抗がかかるため、短時間でワイヤブラシのワイヤが一方向に曲がって戻らなくなることがあるが、本発明はブラシが回転するので鋳枠に当たるブラシの向きが常に変わりブラシが一方向に曲がることが少なくなるため、ブラシの寿命が長くなりブラシ交換が少なくなる。という利点がある。
【発明を実施するための最良の形態】
【００１１】
以下、本発明を実施するための最良の形態を説明する。本発明は、鋳型造型ラインの一部である解枠ラインの鋳枠搬送ローラフレーム上に設置された保持具と、該保持具に軸を介して保持された１個又は複数個のカップ型のワイヤブラシを使用して鋳枠の凹凸面等鋳枠表面に付着した鋳物砂を効率的に除去することを特徴とする。
【００１２】
本発明に使用するカップ型のワイヤブラシとは、多数のワイヤを束ねて、全体としてカップ型にしたブラシであって、カップ底面中心に軸が取り付けられたものをいう。形状、材質等は問わない。
【実施例】
【００１３】
以下、図面に基づき実施例を説明する。
図１に示すように、本鋳枠清掃装置１は解枠ラインの鋳枠搬送ローラフレーム４上に設置される。具体的には、図示しない造型機に空の鋳枠２を搬入する前工程部分である鋳型抜き出し装置３の直後に設けられる。
また、鋳枠に付着した鋳物砂は、鋳枠清掃装置１により除去され、該鋳型抜き出し装置３にて鋳枠２より抜き出された鋳型とともに、鋳型抜き出し装置３下方のシェイクアウトマシン５に回収される。
【００１４】
図２から図４により、鋳枠清掃装置１の構成を説明する。図２及び図３において、各図の左側の状態は鋳枠清掃時を、右側の状態はブラシ交換時を示す。
図２から図４において、鋳枠清掃装置１は鋳枠２の表面を清掃するブラシ部と、ブラシ部を保持するためのフレーム部より構成されている。
【００１５】
まず、図２及び図３より、フレーム部は解枠ラインの鋳枠搬送ローラフレーム４上に設置された下部取付フレーム６とこの下部取付フレーム６と蝶番７によって連結された上部取付フレーム８と、から構成されている。
次に、図２及び図４より、ブラシ部は鋳枠面を外力により回転しながら清掃するカップ型のワイヤブラシ９と、カップ型のワイヤブラシ９を保持する保持具１０と、保持具１０を前記上部取付フレーム８に取り付ける取付ボルト１１と、から構成されている。カップ型のワイヤブラシ９はブラシ本体に構成されている軸１２を保持具１０のボス穴１３に通し、ストッパ１４にて抜けを防止する。保持具１０に保持されたカップ型のワイヤブラシ９は、軸１２を回転中心として外力にて自由に回転できるようになる。
なお、本実施例では保持具１０には２カ所のボス穴１３が開いており、２個のカップ型のワイヤブラシ９が取り付けられているが、鋳枠２の清掃範囲の状況によりカップ型のワイヤブラシ９の取付数は１個でも２個以上でもよい。
【００１６】
さらに、前記カップ型のワイヤブラシ９の摩耗状況に合わせて、ブラシ９と鋳枠２との接触状態を一定に保つための調整機構として保持具１０と上部取付フレーム８との取付距離を調整する機能を前記取付ボルト１１に付加した。
【００１７】
次に、実施例に用いた鋳枠清掃装置の作用について説明する。図１において、解枠ラインの鋳枠搬送ローラフレーム４上を鋳型抜き出し装置３により鋳型を抜き出された空の鋳枠２が搬送されてくる。鋳枠２には、図３に示すように、端部及び浮き出し文字等の凸部１５があるため、鋳枠２を搬送中にカップ型のワイヤブラシ９がその凸部１５に平滑な面より大きく接触することにより摩擦抵抗が発生し、カップ型のワイヤブラシ９に軸１２を回転中心として自転させる外力が発生する。
この外力によるブラシ９の回転によって、鋳枠の凸部１５等に付着した鋳物砂を強力に除去することができる。また、ブラシが回転するために鋳枠に当たるブラシの向きが常に変わりブラシが一方向に曲がることが少なくなる。
【００１８】
次に、本実施例のカップ型のワイヤブラシ９の交換について説明する。図２及び図３において、カップ型のワイヤブラシ９の交換方法は、鋳枠清掃装置１の下部取付フレーム６と上部取付フレーム８を固定している固定ボルト１６を取り外し、上部取付フレーム８を蝶番７を中心に図のように回転させることにより、容易に作業を行うことができる。このように蝶番７を使うことによりカップ型のワイヤブラシ９の傾倒及び復帰が可能となる。
本実施例では、下部取付フレーム６と上部取付フレーム８の固定方法として、固定ボルト１６を使用しているが、アジャストファスナー等の別の固定方法でも良い。
【産業上の利用可能性】
【００１９】
本発明の鋳枠清掃装置は、生砂造型ラインや自硬性造型ライン等、鋳枠を使用する造型ラインに広く使われることはいうまでもない。
【図面の簡単な説明】
【００２０】
【図１】本発明の実施例に用いた鋳枠清掃装置の取り付け状態を示す。
【図２】本発明の実施例における図１のＡ−Ａ矢視を示す。
【図３】本発明の実施例における図１のＢ−Ｂ矢視を示す。
【図４】（Ａ）  本発明の実施例における図３のＣ−Ｃ矢視を示す。            （Ｂ）  本発明の実施例における図４（Ａ）の側面図を示す。
【符号の説明】
【００２１】
１    鋳枠清掃装置
２    鋳枠
４    鋳枠搬送ローラフレーム
６    下部取付フレーム
７    蝶番
８    上部取付フレーム
９    カップ型のワイヤブラシ
１０  保持具
１１  取付ボルト
【図１】
2006136908.tif 000003
【図２】
2006136908.tif 000004
【図３】
2006136908.tif 000005
【図４】
2006136908.tif 000006